(57)【要約】【課題】  ネットワークの圏外にいたため呼び出しに応じられなかった移動局若しくはグループ通話中に圏外となった移動局がグループ通話に途中参加（再参加）することを可能とする。【解決手段】  本発明に係るサーバは、複数の移動局間で通話データが送受信されるグループ通話を管理するサーバであって、前記グループ通話に係る移動局のうち、ネットワークの圏外から前記ネットワークの圏内に移動した移動局を検出する検出部と、前記検出部によって検出された移動局に対して、前記グループ通話への途中参加を要求する途中参加要求を送信する送信部とを備えることを特徴とする。【選択図】  図１
2008005170.tif 000002
【特許請求の範囲】
【請求項１】
複数の移動局間で通話データが送受信されるグループ通話を管理するサーバであって、
前記グループ通話に係る移動局のうち、ネットワークの圏外から前記ネットワークの圏内に移動した移動局を検出する検出部と、
前記検出部によって検出された移動局を前記グループ通話に途中参加させるための呼び出しメッセージを送信する送信部とを備えることを特徴とするサーバ。
【請求項２】
前記グループ通話に係る移動局は、前記グループ通話への呼び出しに対して未応答の移動局であることを特徴とする請求項１に記載のサーバ。
【請求項３】
前記グループ通話に係る移動局は、前記グループ通話中に前記ネットワークの圏外に移動した移動局であることを特徴とする請求項１に記載のサーバ。
【発明の詳細な説明】
【技術分野】
【０００１】
本発明は、複数の移動局間で通話データが送受信されるグループ通話を管理するサーバに関する。
【背景技術】
【０００２】
従来、複数の移動局を含むグループ内で音声データが送受信されるグループ通話（例えば、ＰＴＴ；Ｐｕｓｈ−Ｔｏ−Ｔａｌｋ）が一般的に広く知られている。
【０００３】
このようなグループ通話では、グループ通話に参加していない移動局であっても、グループ通話に途中参加することが特に制限されていない。
【０００４】
また、グループ通話を行う移動局は、発呼側の移動局のユーザによって任意に指定される。具体的には、発呼側の移動局によって指定された移動局のうち、発呼側の移動局からの呼び出しに応じた移動局と発呼側の移動局とによってグループ通話が行われる。
【０００５】
一方で、発呼側の移動局のユーザが特定のグループ内でのみグループ通話を行うことを意図しているような場合に、そのユーザが意図していない他のユーザ（移動局）がグループ通話に途中参加することが許容されてしまうことは好ましくない。
【０００６】
従って、グループ通話に参加している移動局から呼び出された場合にのみ、グループ通話に参加していない移動局の途中参加を許容する枠組み（以下、途中参加枠組み）についても考えられている。
【０００７】
なお、例えば、グループ通話が行われる通信システムは、ＳＩＰ（Ｓｅｓｓｉｏｎ  Ｉｎｉｔｉａｔｉｏｎ  Ｐｒｏｔｏｃｏｌ）が用いられるパケット交換ＮＷと、回線交換ＮＷとを含む。
【０００８】
このような通信システムによるグループ通話において、各移動局は、グループ通話サーバに登録処理（ＩＰアドレスの取得等）を行うことを、回線交換ＮＷを通じて促され、パケット交換ＮＷを通じてグループ通話サーバに登録処理を行う。これにより、グループ通話は、グループ通話サーバによって管理され、パケット交換ＮＷ上で行われる。
【非特許文献１】“ＳＩＰ：Ｓｅｓｓｉｏｎ  Ｉｎｉｔｉａｔｉｏｎ  Ｐｒｏｔｏｃｏｌ”、ＲＦＣ３２６１
【発明の開示】
【発明が解決しようとする課題】
【０００９】
しかしながら、上述した途中参加枠組みでは、グループ通話に参加している移動局によって呼び出された場合にのみ、グループ通話に参加していない移動局の途中参加が許容される。すなわち、グループ通話に参加していない移動局が自発的にグループ通話に途中参加することができない。
【００１０】
例えば、発信側の移動局によって呼び出されたにもかかわらず、その呼び出しに応答することができなかった移動局、すなわち、発呼側の移動局のユーザがグループ通話を行うことを意図して指定した移動局であっても、自発的にグループ通話に途中参加することができない。
【００１１】
また、グループ通話に参加していたにもかかわらず、パケット交換ＮＷの圏外に移動してしまった移動局は、パケット交換ＮＷの圏内に戻った場合であっても、パケット交換ＮＷへの接続が一度切断されてしまっているため、自発的にグループ通話に途中参加（再参加）することができない。
【００１２】
このように、発呼側の移動局のユーザがグループ通話を行うことを意図して指定した移動局などが自発的にグループ通話に途中参加することができないと、ユーザの利便性が低下してしまう。
【００１３】
また、グループ通話に参加している途中でパケット交換ＮＷの圏外に移動した移動局をグループ通話に再参加させるためには、発呼側の移動局から呼び出しをかける必要がある。しかしながら、発呼側の移動局は、パケット交換ＮＷの圏外に移動した移動局が圏内に移動するタイミングがわからないため、圏内になるまで何度も呼び出さなければならず、ユーザの利便性が低下してしまう。
【００１４】
そこで、本発明は、上述した課題を解決するためになされたものであり、グループ通話に参加している移動局によって呼び出された場合にのみ、グループ通話に参加していない移動局の途中参加が許容されるシステムにおいて、移動局がグループ通話に途中参加することを可能とするサーバを提供することを目的とする。
【００１５】
特に、グループ通話の途中でパケット交換ＮＷの圏外に移動した移動局がグループ通話に再参加することを容易とするサーバを提供することを目的とする。
【課題を解決するための手段】
【００１６】
本発明の第１の特徴は、複数の移動局間で通話データが送受信されるグループ通話を管理するサーバであって、前記グループ通話に係る移動局のうち、ネットワークの圏外から前記ネットワークの圏内に移動した移動局を検出する検出部と、前記検出部によって検出された移動局を前記グループ通話に途中参加させるための呼び出しメッセージ（ＩＮＶＩＴＥ（途中参加））を送信する送信部とを備えるサーバであることを要旨とする。
【００１７】
かかる特徴によれば、サーバ（ＳＭＳサーバ５００、グループ通話サーバ４００）が、ネットワークの圏内に移動した移動局を検出し、検出された移動局をグループ通話に途中参加させる呼び出しメッセージを送信する。したがって、自発的にグループ通話に途中参加することが許容されていないシステムにおいても、ネットワークの圏外から圏内に移動した移動局をグループ通話に途中参加させることを可能とする。
【００１８】
本発明の第１の特徴において、前記グループ通話に係る移動局は、前記グループ通話への呼び出しに対して未応答の移動局であってもよい。
【００１９】
かかる特徴によれば、グループ通話の開始時に、発呼側の移動局のユーザによってグループ通話のメンバーとして指定されたがネットワークの圏外のため未応答であった移動局をネットワークの圏内に移動した際にグループ通話に途中参加させることができる。
【００２０】
かかる特徴によれば、グループ通話の開始後に、グループ通話に参加している移動局のユーザによって指定されたがネットワークの圏外のため未応答であった移動局をネットワークの圏内に移動した際にグループ通話に途中参加させることができる。
【００２１】
本発明の第１の特徴において、前記グループ通話に係る移動局は、前記グループ通話中にネットワークの圏外に移動した移動局であってもよい。
【００２２】
かかる特徴によれば、グループ通話に参加している移動局がネットワークの圏外に移動しても、ネットワークの圏内に移動した際にグループ通話に再参加させることができる。
【発明の効果】
【００２３】
本発明によれば、グループ通話に参加している移動局によって呼び出された場合にのみ、グループ通話に参加していない移動局の途中参加が許容されるシステムにおいて、移動局がグループ通話に途中参加することを可能とするサーバを提供することができる。
【発明を実施するための最良の形態】
【００２４】
（本実施形態に係る通信システムの概略構成）
図１を参照し、本実施形態に係る通信システムの概略構成について説明する。
【００２５】
本明細書において、グループ通話とは、複数の移動局間で通話データを送受信するＰＴＴ（Ｐｕｓｈ−ｔｏ−Ｔａｌｋ）や、テレビ電話会議などを含むものとする。また、グループ通話の通話データとは、例えば、ＲＴＰ（Ｒｅａｌ−ｔｉｍｅ  Ｔｒａｎｓｐｏｒｔ  Ｐｒｏｔｏｃｏｌ）等を用いて転送されるユーザデータを示し、音声データのみならず、映像データを含んでもよい。
【００２６】
図１に示すように、本実施形態に係る通信システムは、基地局２００ａと、パケット交換ＮＷ３００ａと、基地局２００ｂと、回線交換ＮＷ３００ｂと、パケット交換ＮＷ３００ａに接続されたグループ通話サーバ４００と、回線交換ＮＷ３００ｂに接続されたＳＭＳ（Ｓｈｏｒｔ  Ｍｅｓｓａｇｅ  Ｓｅｒｖｉｃｅ）サーバ５００とを有する。
【００２７】
本実施形態に係る移動局１００（移動局１００ａ〜１００ｆ）は、基地局２００ａとパケット交換ＮＷ３００ａとを介してグループ通話サーバ４００に接続可能に構成されている。
【００２８】
また、本実施形態に係る移動局１００（移動局１００ａ〜１００ｆ）は、基地局２００ｂと回線交換ＮＷ３００ｂとを介してＳＭＳサーバ５００に接続可能に構成されている。
【００２９】
また、本実施形態に係る移動局１００（移動局１００ａ〜１００ｆ）は、基地局２００ｂを介してＨＬＲ（Ｈｏｍｅ  Ｌｏｃａｔｉｏｎ  Ｒｅｇｉｓｔｅｒ）への位置登録処理を行う。
【００３０】
パケット交換ＮＷ３００ａに接続されたグループ通話サーバ４００は、複数の移動局１００間で通話データが送受信されるグループ通話を管理する。グループ通話サーバ４００は、ＳＩＰ（Ｓｅｓｓｉｏｎ  Ｉｎｉｔｉａｔｉｏｎ  Ｐｒｏｔｏｃｏｌ）に基づいて、複数の移動局１００間の呼制御を行う呼制御サーバの機能を備える。なお、呼制御サーバの機能は、グループ通話サーバ４００に接続された別のサーバとして構成されてもよい。
【００３１】
回線交換ＮＷに接続されたＳＭＳサーバ５００は、ショートメッセージサービスを提供する。なお、ショートメッセージサービスにおいて、移動局１００は、ＳＭＳサーバ５００からショートメッセージを受信すると、その旨をＳＭＳサーバ５００に通知するように構成されている。また、移動局１００に送信されるショートメッセージは、再送可能である。
【００３２】
ここで、ネットワークの圏内とは、パケット交換ＮＷ３００ａのエリア内かつ回線交換ＮＷ３００ｂのエリア内であることを示す。一方、ネットワークの圏外とは、パケット交換ＮＷ３００ａのエリア外又は回線交換ＮＷ３００ｂのエリア外であることを示す。
【００３３】
また、一般的な通信システムでは、回線交換ＮＷ３００ｂのエリアとパケット交換ＮＷ３００ａのエリアとは、概等しいと考えられる。
【００３４】
したがって、移動局１００は回線交換ＮＷ３００ｂの圏内に在圏していれば、移動局１００が回線交換ＮＷ３００ｂとパケット交換ＮＷ３００ａとを含むネットワークの圏内に在圏していると推定することができる。
【００３５】
本実施形態において、サーバは、グループ通話サーバ４００とＳＭＳサーバ５００とによって構成される。
【００３６】
（グループ通話サーバの構成）
図２を参照し、グループ通話サーバ４００の構成について説明する。図２に示すように、グループ通話サーバ４００は、記憶部４１０と、通信部４２０と、制御部４３０とを備える。
【００３７】
記憶部４１０は、グループ通話を管理するための情報として、図３に示す情報を記憶する。記憶部４１０は、図３に示すように、メンバー履歴と、移動局種別と、移動局状態とをグループ通話毎に関連付けて記憶する。
【００３８】
メンバー履歴とは、グループ通話に係る移動局１００を識別可能な情報を記憶する。
【００３９】
ここで、グループ通話に係る移動局１００とは、他の一以上の移動局１００を呼び出すことによってグループ通話を開始する発呼側の移動局１００や、グループ通話を開始する際に発呼側の移動局１００のユーザによって指定された他の一以上の移動局１００（初期指定メンバー）、グループ通話の開始後にグループ通話に参加している移動局１００によってグループ通話に途中参加するように呼び出されたの移動局１００（途中指定メンバー）である。
【００４０】
なお、初期指定メンバーは、グループ通話を開始する際に発呼側の移動局１００によって呼び出され、当該呼び出しに応答することによってグループ通話に参加する。
【００４１】
移動局種別とは、グループ通話に係る移動局１００の種別を識別する情報である。具体的には、移動局１００の種別に応じて、上述の発呼側の移動局１００を示す「発呼側」、発呼側の移動局１００によりグループ通話の開始時に呼び出された移動局１００を示す「初期指定メンバー」、グループ通話の開始後にグループ通話に参加している移動局１００により呼び出された移動局１００を示す「途中指定メンバー」等の情報が記憶される。
【００４２】
移動局状態とは、グループ通話に係る移動局１００の状態を示す情報である。具体的には、移動局１００の状態に応じて、例えば、「参加中」、「未応答（圏外）」、「圏外」等の情報が記憶される。
【００４３】
「参加中」とは、移動局１００がグループ通話に参加していることを示す。
【００４４】
「未応答（圏外）」とは、後述する圏外検出処理部４３２によって検出された未応答（圏外）移動局であることを示す。ここで、未応答（圏外）移動局とは、グループ通話への呼び出しに未応答の移動局１００のうち、ネットワークの圏外のため応答できなかった移動局１００である。
【００４５】
「圏外」とは、後述する圏外検出処理部４３２によって検出された圏外移動局であることを示す。ここで、圏外移動局とは、グループ通話中にネットワークの圏外に移動したため通信が途絶えた移動局１００である。
【００４６】
通信部４２０は、移動局１００の呼制御に係るＳＩＰのメッセージ（ＩＮＶＩＴＥメッセージ、２００  ＯＫ、ＡＣＫ、ＢＹＥ等）を移動局１００と送受信する。具体的には、通信部４２０は、グループ通話を開始する際に、発呼側の移動局１００が他の一以上の移動局１００を呼び出すＩＮＶＩＴＥメッセージ（ＩＮＶＩＴＥ（新規））を受信する。
【００４７】
また、通信部４２０は、グループ通話の開始後に、グループ通話に参加している移動局１００がグループ通話に参加していない移動局１００を呼び出すＩＮＶＩＴＥメッセージ（ＩＮＶＩＴＥ（途中参加））を受信する。
【００４８】
また、通信部４２０は、制御部４３０の指示に基づいて、後述するＳＭＳ送信要求や監視要求をＳＭＳサーバ５００に送信する。
【００４９】
制御部４３０は、グループ通話処理部４３１と、圏外検出処理部４３２と、呼び出し処理部４３３とを論理ブロックとして備える。なお、これらの論理ブロックは、制御部４３０が所定のプログラムを実行することによって構成される。
【００５０】
グループ通話処理部４３１は、ＳＩＰに従って、グループ通話に関する処理を行う。例えば、グループ通話処理部４３１は、グループ通話の開始処理、グループ通話への途中参加処理などを行う。
【００５１】
グループ通話の開始処理では、グループ通話処理部４３１は、通信部４２０によって受信されたＩＮＶＩＴＥ（新規）に基づいて、発呼側の移動局１００により指定された一以上の移動局１００へのＳＭＳ（登録要求）の送信を要求するＳＭＳ送信要求をＳＭＳサーバ５００に送信するよう通信部４２０に指示する。
【００５２】
ここで、ＳＭＳ（登録要求）は、グループ通話サーバ４００への登録処理を要求するショートメッセージであり、ＳＭＳサーバ５００から回線交換ＮＷ３００ｂを介して移動局１００に送信される。
【００５３】
また、登録処理とは、パケット交換ＮＷ３００ａを介して、移動局１００が、グループ通話サーバ４００に電話番号やユーザＩＤ等を登録する処理や、グループ通話サーバ４００からＩＰアドレスを取得する処理である。
【００５４】
なお、移動局１００は、回線交換ＮＷ３００ｂを介してＳＭＳ（登録要求）を受信すると、自動でパケット交換ＮＷ３００ａを介してグループ通話サーバ４００への登録処理を行う。移動局１００は、かかる登録処理を行うことによって、上述のＩＮＶＩＴＥ（新規）やＩＮＶＩＴＥ（途中参加）を受信することが可能となる。
【００５５】
グループ通話処理部４３１は、ＩＮＶＩＴＥ（新規）の宛先である移動局１００の登録処理が行われると、移動局１００に、ＩＮＶＩＴＥ（新規）を送信するよう通信部４２０に指示する。
【００５６】
グループ通話は、ＩＮＶＩＴＥ（新規）による呼び出しに応答した移動局１００と発呼側の移動局１００とによって開始される。
【００５７】
同様に、グループ通話への途中参加処理では、グループ通話処理部４３１は、通信部４２０によってＩＮＶＩＴＥ（途中参加）が受信された場合、ＳＭＳサーバ５００に対し、受信されたＩＮＶＩＴＥ（途中参加）の宛先である移動局１００へのＳＭＳ（登録要求）の送信を要求するＳＭＳ送信要求を送信するよう通信部４２０に指示する。
【００５８】
そして、グループ通話処理部４３１は、ＩＮＶＩＴＥ（途中参加）の宛先である移動局１００の登録処理が行われると、移動局１００にＩＮＶＩＴＥ（途中参加）を送信するよう通信部４２０に指示する。
【００５９】
グループ通話には、ＩＮＶＩＴＥ（途中参加）による呼び出しに応答した移動局１００が途中参加する。
【００６０】
また、グループ通話処理部４３１は、受信されたＩＮＶＩＴＥ（新規）又はＩＮＶＩＴＥ（途中参加）に基づいて、記憶部４１０にメンバー履歴と移動局種別とを登録する。
【００６１】
圏外検出処理部４３２は、グループ通話に係る移動局１００がネットワークの圏外であることを検出する。
【００６２】
例えば、圏外検出処理部４３２は、グループ通話への呼び出しに未応答の移動局１００のうち、ネットワークの圏外のため応答できなかった移動局１００（未応答（圏外）移動局）や、グループ通話中にネットワークの圏外に移動した移動局１００（圏外移動局）を検出する。
【００６３】
具体的には、圏外検出処理部４３２は、未応答（圏外）移動局として、グループ通話が開始される際に、ＩＮＶＩＴＥ（新規）に応じてＳＭＳ（登録要求）の送信を要求するＳＭＳ送信要求が送信されたにも関わらず、所定時間内にグループ通話サーバ４００への登録処理を行わない移動局１００を検出する。
【００６４】
ここで、上述のように、移動局１００は、回線交換ＮＷ３００ｂを介してＳＭＳ（登録要求）を受信すると、自動でパケット交換ＮＷ３００ａを介してグループ通話サーバ４００への登録処理を行う。したがって、呼び出された移動局１００がネットワークの圏内であれば、グループ通話サーバ４００への登録処理が行われる。
【００６５】
しかしながら、呼び出された移動局１００が回線交換ＮＷ３００ｂの圏外の場合、ＳＭＳ（登録要求）を受信できず、グループ通話サーバ４００への登録処理が行われない。また、呼び出された移動局１００がパケット交換ＮＷ３００ａの圏外の場合、ＳＭＳ（登録要求）を受信できても、グループ通話サーバ４００への登録処理を行うことができない。
【００６６】
したがって、圏外検出処理部４３２は、ＳＭＳ送信要求を送信してから所定時間内に登録処理が行われない移動局１００を未応答（圏外）移動局として検出する。
【００６７】
同様に、圏外検出処理部４３２は、未応答（圏外）移動局として、グループ通話の開始後に、ＩＮＶＩＴＥ（途中参加）に応じてＳＭＳ（登録要求）の送信を要求するＳＭＳ送信要求が送信されたにも関わらず、所定時間内にグループ通話サーバ４００への登録処理を行わない移動局１００を検出する。
【００６８】
なお、圏外検出処理部４３２は、未応答（圏外）移動局を検出した場合、記憶部４１０に記憶された移動局１００の移動局状態を「未応答（圏外）」に更新する。
【００６９】
また、圏外検出処理部４３２は、グループ通話中にネットワークの圏外に移動した移動局１００（圏外移動局）を検出する。
【００７０】
具体的には、圏外検出処理部４３２は、通信部４２０によってグループ通話からの離脱を示すＢＹＥが受信されていないのに、グループ通話中にグループ通話サーバ４００との間のセッションが切断された移動局１００を圏外移動局として検出する。
【００７１】
移動局１００がパケット交換ＮＷ３００ａの圏外に移動した場合、パケット交換ＮＷ３００ａ上の基地局２００ａからの指示に基づいて、移動局１００のグループ通話サーバ４００との間のセッションが切断される。
【００７２】
したがって、圏外検出処理部４３２は、通信部４２０によってグループ通話からの離脱を示すＢＹＥが受信されていないのに、グループ通話サーバ４００との間のセッションが切断された移動局１００を圏外移動局として検出する。
【００７３】
なお、圏外検出処理部４３２は、圏外移動局を検出した場合、記憶部４１０に記憶された移動局１００の移動局状態を「圏外」に更新する。
【００７４】
また、圏外検出処理部４３２は、検出された未応答（圏外）移動局や圏外移動局が、ネットワークの圏内に移動したか否かを監視することを要求する監視要求をＳＭＳサーバ５００に送信するよう通信部４２０に指示する。
【００７５】
呼び出し処理部４３３は、ネットワークの圏外からネットワークの圏内に移動した未応答（圏外）移動局や圏外移動局をグループ通話に途中参加させるための呼び出し処理を行う。
【００７６】
具体的には、呼び出し処理部４３３は、記憶部４１０に記憶された移動局状態が「未応答（圏外）」又は「圏外」の移動局１００に対し、グループ通話に途中参加させるＩＮＶＩＴＥ（途中参加）（呼び出しメッセージ）を送信するよう通信部４２０に指示する。
【００７７】
かかるＩＮＶＩＴＥ（途中参加）による呼び出しに応じることによって、ネットワークの圏外からネットワークの圏内に移動した移動局１００は、グループ通話に途中参加することができる。
【００７８】
（ＳＭＳサーバの構成）
図４を参照し、ＳＭＳサーバ５００の構成について説明する。図４に示すように、ＳＭＳサーバ５００は、通信部５１０と、制御部５２０とを備える。
【００７９】
通信部５１０は、グループ通話サーバ４００から上述のＳＭＳ送信要求や監視要求等を受信する。また、通信部５１０は、移動局１００との間でショートメッセージを送受信する。
【００８０】
制御部５２０は、監視要求取得部５２１と、圏内検出部５２２と、登録要求処理部５２３とを論理ブロックとして備える。なお、これらの論理ブロックは、制御部５２０が所定のプログラムを実行することによって構成される。
【００８１】
監視要求取得部５２１は、上述の未応答（圏外）移動局又は圏外移動局がネットワークの圏内に移動したか否かを監視することを要求する監視要求を取得する。
【００８２】
圏内検出部５２２は、監視要求取得部５２１によって取得された監視要求に対応する移動局１００がネットワークの圏内に移動したことを検出する。
【００８３】
具体的には、圏内検出部５２２は、基地局２００ｂからの通知により、監視要求に対応する移動局１００が回線交換ＮＷ３００ｂの圏内に移動したことを検出する。
【００８４】
ここで、監視要求に対応する移動局１００は、回線交換ＮＷ３００ｂの圏外から圏内に移動した場合、基地局２００ｂを介してＨＬＲに対する位置登録処理を行う。圏内検出部５２２は、基地局２００ｂから監視要求に対応する移動局１００の位置登録処理が行われたことを示す通知を取得することによって、監視要求に対応する移動局１００が回線交換ＮＷ３００ｂの圏内に移動したことを検出する。
【００８５】
なお、上述のように、一般的な通信システムでは、回線交換ＮＷ３００ｂのエリアとパケット交換ＮＷ３００ａのエリアとは、概等しいと考えられる。このため、圏内検出部５２２は、監視要求に対応する移動局１００が回線交換ＮＷ３００ｂの圏内に移動したことを検出することによって、パケット交換ＮＷ３００ａを含むネットワークの圏内に移動したと推定する。
【００８６】
登録要求処理部５２３は、圏内検出部５２２によって、監視要求に対応する移動局１００がネットワークの圏内に移動したことが検出された場合、グループ通話サーバ４００への登録処理を要求するＳＭＳ（登録要求）を監視要求に対応する移動局１００に送信するよう通信部５１０に指示する。
【００８７】
（本実施形態に係る通信システムの通信方法）
以下、図５乃至図８を参照し、本実施形態に係るネットワークの圏外からネットワークの圏内に移動した移動局１００をグループ通話に途中参加させる動作について説明する。
【００８８】
（１）圏外検出処理
第１に、図５乃至図７を参照し、グループ通話サーバ４００が、グループ通話に係る移動局１００が上述の未応答（圏外）移動局や圏外移動局として検出される処理（圏外検出処理）について説明する。
【００８９】
（１―１）圏外検出処理（パターン１）
図５は、グループ通話を開始する際にグループ通話への呼び出しに応答しない未応答（圏外）移動局が検出されるシーケンス図である。パターン１では、未応答（圏外）移動局は初期指定メンバーである。以下では、初期指定メンバーの移動局１００ｄが未応答（圏外）移動局として検出される例について説明する。
【００９０】
図５に示すように、ステップＳ１０１において、発呼側の移動局１００である移動局１００ａは、ユーザによって指定された初期指定メンバー（移動局１００ｂ〜１００ｄ）を呼び出すＩＮＶＩＴＥ（新規）をグループ通話サーバ４００に送信する。
【００９１】
ステップＳ１０２において、グループ通話サーバ４００は、ＳＭＳサーバ５００に対して、ＳＭＳ（登録要求）を初期指定メンバーに送信するよう要求するＳＭＳ送信要求を送信する。
【００９２】
ステップＳ１０３ｂ〜Ｓ１０３ｄにおいて、ＳＭＳサーバ５００は、受信したＳＭＳ送信要求に基づいて、グループ通話サーバ４００への登録処理を要求するＳＭＳ（登録要求）を初期指定メンバーに送信する。
【００９３】
なお、ステップＳ１０３ｄにおいて、移動局１００ｄは、回線交換ＮＷ３００ｂの圏外であるため、ＳＭＳ（登録要求）を受信できないものとする。
【００９４】
ステップＳ１０４ｂ、Ｓ１０４ｃにおいて、ＳＭＳサーバ５００から送信されたＳＭＳ（登録要求）を受信した移動局１００ｂ、１００ｃは、グループ通話サーバ４００への登録処理（ＩＰアドレスの取得等）を行う。
【００９５】
ステップＳ１０５ｂ、Ｓ１０５ｃにおいて、グループ通話サーバ４００は、登録処理が行われた移動局１００ｂ、１００ｃに対して、Ｓ１０１で受信された発呼側の移動局１００ａからのＩＮＶＩＴＥ（新規）を送信する。
【００９６】
ステップＳ１０６ｂにおいて、移動局１００ｂは、受信したＩＮＶＩＴＥ（新規）に応じて、自局のユーザを呼び出し中であることを示す１８０  Ｒｉｎｇｉｎｇ、ユーザが応答したことを示す２００  ＯＫをグループ通話サーバ４００に送信する。移動局１００ｂからの２００  ＯＫに応じて、発信側の移動局１００ａからのＡＣＫがグループ通話サーバ４００に送信されると、移動局１００ｂがグループ通話に参加する。
【００９７】
同様に、ステップＳ１０６ｃにおいて、移動局１００ｃも、受信したＩＮＶＩＴＥ（新規）に応じてグループ通話に参加する。
【００９８】
ステップＳ１０７において、発呼側の移動局１００ａと、発呼側の移動局１００ａからの呼び出しに応答した移動局１００ｂ、１００ｃとが参加するグループ通話が行われる。
【００９９】
ステップＳ１０８において、グループ通話サーバ４００は、未応答（圏外）移動局として、移動局１００ｄを検出する。
【０１００】
具体的には、グループ通話サーバ４００は、移動局１００ａから受信したＩＮＶＩＴＥ（新規）に応じて、ステップＳ１０２でＳＭＳ（登録要求）の送信を要求するＳＭＳ送信要求が送信されてから、所定時間内にグループ通話サーバ４００への登録処理を行わない移動局１００ｄを未応答（圏外）移動局として検出する。
【０１０１】
また、グループ通話サーバ４００は、記憶部４１０に記憶されている移動局１００ｄの移動局状態を「未応答（圏外）」に更新する。
【０１０２】
なお、図示しないが、パケット交換ＮＷ３００ａの圏外のため、ＳＭＳ（登録要求）を受信しても、グループ通話サーバ４００への登録処理を行うことができない移動局１００ｄも、未応答（圏外）移動局として検出される。
【０１０３】
（１―２）圏外検出処理（パターン２）
図６は、グループ通話の開始後にグループ通話への呼び出しに応答しない未応答（圏外）移動局が検出されるシーケンス図である。以下では、途中指定メンバーの移動局１００ｅが未応答（圏外）移動局として検出される例について説明する。
【０１０４】
図６に示すように、ステップＳ２０１において、移動局１００ａ〜１００ｃとが参加するグループ通話が行われる。
【０１０５】
ステップＳ２０２において、グループ通話に参加している移動局１００ａは、グループ通話に参加していない移動局１００ｅを呼び出すＩＮＶＩＴＥ（途中参加）をグループ通話サーバ４００に送信する。
【０１０６】
ステップＳ２０３において、グループ通話サーバ４００は、移動局１００ｅにＳＭＳ（登録要求）を送信するよう要求するＳＭＳ送信要求をＳＭＳサーバ５００に送信する。
【０１０７】
ステップＳ２０４において、移動局１００ｅは、回線交換ＮＷ３００ｂの圏外であるため、ＳＭＳ（登録要求）を受信できないものとする。
【０１０８】
ステップＳ２０５において、上述の図５のステップＳ１０８と同様に、グループ通話サーバ４００は、受信したＩＮＶＩＴＥ（途中参加）に応じて、ステップＳ２０３でＳＭＳ（登録要求）の送信を要求するＳＭＳ送信要求が送信されてから、所定時間内にグループ通話サーバ４００への登録処理を行わない移動局１００ｅを未応答（圏外）移動局として検出する。
【０１０９】
また、グループ通話サーバ４００は、記憶部４１０に記憶されている移動局１００ｅの移動局状態を「未応答（圏外）」に更新する。
【０１１０】
なお、図示しないが、パケット交換ＮＷ３００ａの圏外のため、ＳＭＳ（登録要求）を受信しても、グループ通話サーバ４００への登録処理を行うことができない移動局１００ｅも、未応答（圏外）移動局として検出される。
【０１１１】
（１―３）圏外検出処理（パターン３）
図７は、グループ通話中にネットワークの圏外に移動した圏外移動局が検出される際のシーケンス図である。以下では、途中指定メンバーの移動局１００ｆが圏外移動局として検出される例について説明する。
【０１１２】
図７に示すように、ステップＳ３０１において、移動局１００ａ〜１００ｃ、１００ｆとが参加するグループ通話が行われる。
【０１１３】
ステップＳ３０２において、グループ通話に参加している移動局１００ｆとグループ通話サーバ４００との間のセッションが切断される。
【０１１４】
ステップＳ３０３において、グループ通話サーバ４００は、移動局１００ｆのグループ通話からの離脱を示すＢＹＥを受信していないのに、セッションが切断されたことから移動局１００ｆをネットワークの圏外に移動した圏外移動局として検出する。
【０１１５】
また、グループ通話サーバ４００は、記憶部４１０に記憶されている移動局１００ｆの移動局状態を「圏外」に更新する。
【０１１６】
（２）途中参加処理
第２に、図８を参照し、上述の圏外検出処理（パターン１〜３）によって検出された未応答（圏外）移動局や圏外移動局がネットワークの圏内に移動した際に、グループ通話に途中参加させる動作について説明する。
【０１１７】
図８は、ネットワークの圏内に移動した未応答（圏外）移動局や圏外移動局をグループ通話に途中参加させる動作を示すシーケンス図である。
【０１１８】
ステップＳ４０１において、上述のパターン１〜３のいずれかの圏外検出処理が行われ、未応答（圏外）移動局又は圏外移動局が検出される。以下、移動局１００ｄが未応答移動局として検出された場合に（上述のパターン１）以下の処理を行う例を説明するが、移動局１００ｅが未応答移動局として検出された場合（上述のパターン２）や、移動局１００ｆが圏外移動局として検出された場合（上述のパターン３）についても同様に動作する。
【０１１９】
ステップＳ４０２において、移動局１００ａ〜１００ｃが参加するグループ通話が行われている。
【０１２０】
ステップＳ４０３において、グループ通話サーバ４００は、ステップＳ４０１で検出された移動局１００ｄがネットワークの圏内に移動したか否かを監視する監視要求をＳＭＳサーバ５００に送信する。
【０１２１】
ステップＳ４０４において、ＳＭＳサーバ５００は、基地局２００ｂからの監視要求に対応する移動局１００ｄからの位置登録処理が行われたことを示す通知を取得することによって、監視要求に対応する移動局１００ｄが回線交換ＮＷ３００ｂの圏内に移動したことを検出する。ここで、上述のように、ＳＭＳサーバ５００は、回線交換ＮＷ３００ｂの圏内に移動した移動局１００ｄがパケット交換ＮＷ３００ａを含むネットワークの圏内に移動したと推定する。
【０１２２】
ステップＳ４０５において、ＳＭＳサーバ５００は、ステップＳ４０４で検出された移動局１００ｄにＳＭＳ（登録要求）を送信する。
【０１２３】
ステップＳ４０６において、移動局１００ｄは、受信したＳＭＳ（登録要求）に応じて、グループ通話サーバ４００への登録処理を行う。
【０１２４】
ステップＳ４０７において、グループ通話サーバ４００は、記憶部４１０を参照し、未応答（圏外）移動局である移動局１００ｄからの登録処理が行われたことを検出する。そして、グループ通話サーバ４００は、移動局１００ｄをグループ通話に途中参加させるＩＮＶＩＴＥ（途中参加）を移動局１００ｄに送信する。
【０１２５】
ステップＳ４０８において、移動局１００ｄは、ステップＳ４０７で受信したＩＮＶＩＴＥ（途中参加）に応じてユーザを呼び出していることを示す１８０  Ｒｉｎｇｉｎｇをグループ通話サーバ４００に送信する。
【０１２６】
ステップＳ４０９において、グループ通話サーバ４００は、移動局１００ｄを呼び出した移動局１００（ここでは、移動局１００ａ）に対して、受信した１８０  Ｒｉｎｇｉｎｇを送信する。
【０１２７】
ステップＳ４１０において、移動局１００ｄは、ステップＳ４０７で受信したＩＮＶＩＴＥ（途中参加）に応じてユーザが応答したことを示す２００  ＯＫをグループ通話サーバ４００に送信する。
【０１２８】
ステップＳ４１１において、グループ通話サーバ４００は、グループ通話に移動局１００ｄを呼び出した移動局１００（ここでは、移動局１００ａ）に対して、受信した２００  ＯＫを送信する。
【０１２９】
ステップＳ４１２において、移動局１００ａは、受信した２００  ＯＫに応じてグループ通話サーバ４００にＡＣＫを送信する。
【０１３０】
ステップＳ４１３において、移動局１００ａ〜１００ｄが参加するグループ通話が行われる。
【０１３１】
（本実施形態に係る通信システム及び通信方法の作用・効果）
本実施形態に係る通信システム及び通信方法によれば、ＳＭＳサーバ５００（サーバ）が、ネットワークの圏内に移動した移動局１００を検出し、グループ通話サーバ４００（サーバ）がＳＭＳサーバ５００によって検出された移動局１００をグループ通話に途中参加させるＩＮＶＩＴＥ（途中参加）（呼び出しメッセージ）を送信する。したがって、グループ通話に参加している移動局１００によって呼び出された場合にのみ、グループ通話に参加していない移動局１００の途中参加が許容され、自発的にグループ通話に途中参加することが許容されていないシステムにおいても、ネットワークの圏外から圏内に移動した移動局１００をグループ通話に途中参加させることを可能とする。
【０１３２】
本実施形態に係る通信システム及び通信方法によれば、グループ通話の開始時に、発呼側の移動局１００のユーザによってグループ通話のメンバーとして指定されたがネットワークの圏外のため未応答であった移動局１００をネットワークの圏内に移動した際にグループ通話に途中参加させることができる。
【０１３３】
本実施形態に係る通信システム及び通信方法によれば、グループ通話の開始後に、グループ通話に参加している移動局１００のユーザによって指定されたがネットワークの圏外のため未応答であった移動局をネットワークの圏内に移動した際にグループ通話に途中参加させることができる。  本実施形態に係る通信システム及び通信方法によれば、グループ通話に参加している移動局１００がネットワークの圏外に移動しても、ネットワークの圏内に移動した際にグループ通話に再参加させることができる。
【０１３４】
（変更例１）
本発明は、上記実施形態に限定されるものではなく、種々の変更が可能である。
【０１３５】
例えば、上記実施形態では、ＳＭＳサーバ５００は、監視要求に対応する移動局１００ｄがネットワークの圏内に移動したことを検出してからＳＭＳ（登録要求）を送信するものとして説明したが、ＳＭＳサーバ５００は、以下のように監視要求に対応する移動局１００にＳＭＳ（登録要求）を送信し続けてもよい。
【０１３６】
かかる場合、ＳＭＳ（登録要求）を受信した移動局１００ｄによるグループ通話サーバ４００への登録処理が行われた時に、グループ通話サーバ４００によって移動局１００ｄがネットワークの圏内に移動したことが検出される。
【０１３７】
図９は、ネットワークの圏外からネットワークの圏内に移動した移動局１００ｄをグループ通話に途中参加させる動作の変更例を示すシーケンス図である。なお、図９のステップＳ５０１〜Ｓ５０３については、図８のステップＳ４０１〜Ｓ４０３と同様のため説明を省略する。
【０１３８】
ステップＳ５０４において、ＳＭＳサーバ５００は、監視要求に対応する移動局１００ｄがＳＭＳ（登録要求）を受信するまで、グループ通話サーバ４００への登録処理を要求するＳＭＳ（登録要求）を再送する。
【０１３９】
ステップＳ５０５において、監視要求に対応する移動局１００ｄは、ＳＭＳ（登録要求）を受信したことを示す受信完了通知を送信する。受信完了通知を受信したＳＭＳサーバ５００は、ＳＭＳ（登録要求）の再送を終了する。
【０１４０】
なお、Ｓ５０６〜Ｓ５１３については、図８のステップＳ４０６〜Ｓ４１３と同一の動作のため説明を省略する。
【０１４１】
変更例１によれば、ＳＭＳサーバ５００に、監視要求に対応する移動局１００ｄがネットワークの圏内に移動したことを検出するための処理を実装することなく、監視要求に対応する移動局１００ｄにグループ通話サーバ４００への登録処理を行わせることができる。その結果、グループ通話に移動局１００ｄを途中参加させることができる。
【０１４２】
（その他の実施形態）
なお、本実施形態では、通信プロトコルとしてＳＩＰを用いる場合について説明したが、本発明は、かかる場合に限定されることはなく、実施形態の動作を実現することができる他の通信プロトコルがあれば、当該他の通信プロトコルを用いた場合にも適用可能である。
【０１４３】
例えば、上述のグループ通話サーバ４００とＳＭＳサーバ５００とは、別のサーバではなく、１つのサーバによって構成されていてもよい。
【０１４４】
また、上述の実施形態では、ネットワークの圏外からネットワークの圏内に移動した移動局を検出する処理は、ＳＭＳサーバ５００で行われものとして説明したが、グループ通話サーバ４００で検出されるように構成されていてもよい。
【０１４５】
以上、本発明の一例を説明したが、具体例を例示したに過ぎず、特に本発明を限定するものではなく、各部の具体的構成等は、適宜設計変更可能である。また、各実施形態の構成及び各変更例の構成もそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１４６】
【図１】本発明の実施形態に係る通信システムの全体概略構成図である。
【図２】本発明の実施形態に係るグループ通話サーバのブロック構成図である。
【図３】本発明の実施形態に係るグループ通話サーバの記憶部の一例を示す図である。
【図４】本発明の実施形態に係るＳＭＳサーバのブロック構成図である。
【図５】本発明の実施形態に係る通信システムにおける圏外検出処理（パターン１）を示すシーケンス図である。
【図６】本発明の実施形態に係る通信システムにおける圏外検出処理（パターン２）を示すシーケンス図である。
【図７】本発明の実施形態に係る通信システムにおける圏外検出処理（パターン３）を示すシーケンス図である。
【図８】本発明の実施形態に係る通信システムにおける途中参加処理を示すシーケンス図である。
【図９】本発明の変更例に係る通信システムにおける途中参加処理を示すシーケンス図である。
【符号の説明】
【０１４７】
１００ａ〜１００ｆ…移動局、２００ａ…基地局、２００ｂ…基地局、３００ａ…パケット交換ＮＷ、３００ｂ…回線交換ＮＷ、４００…グループ通話サーバ、４１０…記憶部、４２０…通信部、４３０…制御部、４３１…グループ通話処理部、４３２…圏外検出処理部、４３３…呼び出し処理部、５００…ＳＭＳサーバ、５１０…通信部、５２０…制御部、５２１…監視要求取得部、５２２…圏内検出部、５２３…登録要求処理部
【図１】
2008005170.tif 000003
【図２】
2008005170.tif 000004
【図３】
2008005170.tif 000005
【図４】
2008005170.tif 000006
【図５】
2008005170.tif 000007
【図６】
2008005170.tif 000008
【図７】
2008005170.tif 000009
【図８】
2008005170.tif 000010
【図９】
2008005170.tif 000011